(57)【要約】【課題】上下方向に積み重ねられた２つの熱交換ユニットどうしの位置ずれを防止する。【解決手段】位置ずれ防止部材５０は、下方の熱交換ユニット１０ａと上方の熱交換ユニット１０ｂとの位置ずれを防止する。基部５５は、第１面５５ａと第２面５５ｂとを有する。第１面５５ａは、熱交換ユニット１０ａの上端面に当接し、第２面５５ｂは、熱交換ユニット１０ｂの下端面に当接する。第１側壁部５１は、熱交換ユニット１０ａの第１側面１１１ａに当接し、基部５５から第１面５５ａ側に伸びる。第２側壁部５２は、熱交換ユニット１０ａの第２側面１１２ａに当接し、基部５５から第１面５５ａ側に伸びる。第３側壁部５３は、熱交換ユニット１０ｂの第３側面１１１ｂに当接し、基部５５から第２面５５ｂ側に伸びる。第４側壁部５４は、熱交換ユニット１０ｂの第４側面１１２ｂに当接し、基部５５から第２面５５ｂ側に伸びる。【選択図】図９
2008151392.tif 000002
【特許請求の範囲】
【請求項１】
熱交換器（１０）に含まれる第１熱交換ユニット（１０ａ）と前記第１熱交換ユニットの上方に積み重ねられた第２熱交換ユニット（１０ｂ）との位置ずれを防止する位置ずれ防止部材（５０，６０，１５０，２５０，３５０）であって、
前記第１熱交換ユニットの上端面に当接する第１面（５５ａ，６５ａ，２５５ａ）、および前記第１面に対向し、前記第２熱交換ユニットの下端面に当接する第２面（５５ｂ，６５ｂ，２５５ｂ）を有する基部（５５，６５，２５５）と、
前記第１熱交換ユニットの第１側面（１１１ａ）に当接し、前記基部から前記第１面側に伸びる第１側壁部（５１，６１，２５１）と、
前記第１側面に対向する前記第１熱交換ユニットの第２側面（１１２ａ）に当接し、前記基部から前記第１面側に伸びる第２側壁部（５２，６２，２５２）と、
前記第２熱交換ユニットの第３側面（１１１ｂ）に当接し、前記基部から前記第２面側に伸びる第３側壁部（５３，６３，２５３）と、
前記第３側面に対向する前記第２熱交換ユニットの第４側面（１１２ｂ）に当接し、前記基部から前記第２面側に伸びる第４側壁部（５４，６４，２５４）と、
を備える、
位置ずれ防止部材（５０，６０，１５０，２５０，３５０）。
【請求項２】
前記基部（６５）は、前記第１熱交換ユニット（１０ａ）の湾曲している部分（１１３ａ）および前記第２熱交換ユニット（１０ｂ）の湾曲している部分（１１３ｂ）に当接するように湾曲している、
請求項１に記載の位置ずれ防止部材（６０）。
【請求項３】
前記第１側壁部（５１，６１，２５１）、前記第２側壁部（５２，６２，２５２）、前記第３側壁部（５３，６３，２５３）および前記第４側壁部（５４，６４，２５４）の少なくとも１つは、前記第１熱交換ユニット（１０ａ）および前記第２熱交換ユニット（１０ｂ）に含まれる複数のフィン間に差し込まれる差込み部（５１ａ〜５４ａ）を有する、
請求項１または２に記載の位置ずれ防止部材（５０，６０，１５０，２５０，３５０）。
【請求項４】
前記基部（５５，６５，２５５）には、前記基部上に水が滞留するのを防ぐ水抜き孔（５６，６６）が設けられている、
請求項１から３のいずれかに記載の位置ずれ防止部材（５０，６０，１５０，２５０，３５０）。
【請求項５】
前記基部（５５，６５，２５５）は、薄板である、
請求項１から４のいずれかに記載の位置ずれ防止部材（５０，６０，１５０，２５０，３５０）。
【請求項６】
第１熱交換ユニット（１０ａ）と、
前記第１熱交換ユニットの上方に積み重ねられた第２熱交換ユニット（１０ｂ）と、
前記第１熱交換ユニットと前記第２熱交換ユニットとの位置ずれを防止する位置ずれ防止部材（５０，６０，１５０，２５０，３５０）と、
を備え、
前記位置ずれ防止部材は、
前記第１熱交換ユニットの上端面に当接する第１面（５５ａ，６５ａ，２５５ａ）、および前記第１面に対向し、前記第２熱交換ユニットの下端面に当接する第２面（５５ｂ，６５ｂ，２５５ｂ）を有する基部（５５，６５，２５５）と、
前記第１熱交換ユニットの第１側面（１１１ａ）に当接し、前記基部から前記第１面側に伸びる第１側壁部（５１，６１，２５１）と、
前記第１側面に対向する前記第１熱交換ユニットの第２側面（１１２ａ）に当接し、前記基部から前記第１面側に伸びる第２側壁部（５２，６２，２５２）と、
前記第２熱交換ユニットの第３側面（１１１ｂ）に当接し、前記基部から前記第２面側に伸びる第３側壁部（５３，６３，２５３）と、
前記第３側面に対向する前記第２熱交換ユニットの第４側面（１１２ｂ）に当接し、前記基部から前記第２面側に伸びる第４側壁部（５４，６４，２５４）と、
を有する、
空調ユニットの熱交換器（１０）。
【発明の詳細な説明】
【技術分野】
【０００１】
本発明は、位置ずれ防止部材およびこれを備える空調ユニットの熱交換器に関し、より詳細には、上下方向に積み重ねられた２つの熱交換ユニットどうしの位置ずれを防止する位置ずれ防止部材およびこれを備える空調ユニットの熱交換器に関する。
【背景技術】
【０００２】
通常、空調ユニットの能力は、冷媒回路部品である熱交換器の容量に影響されることになる。例えば、特許文献１に示される空調ユニットにおいても、目標となる能力に見合うように設計された熱交換器が用いられている。
【０００３】
したがって、従来、建物の増改築などに伴って既設の空調ユニットの能力を増加させる場合、あるいは、開発過程において既設計の空調ユニットよりも高い能力の空調ユニットを新たに設計する場合には、実現したい能力に見合う容量の熱交換器を新たに設計する必要がある。
【特許文献１】特開２００５−７６９２４号公報
【発明の開示】
【発明が解決しようとする課題】
【０００４】
ところで、このような従来の方式で空調ユニットの容量を増量する場合、既設計の熱交換器が無駄になってしまう。そこで、出願人は、熱交換器を継ぎ足し構造とし、既設計の熱交換器を流用してより高容量の熱交換器を組み立てることを提案した（特願２００６−３１９５８８）。しかしながら、この場合、熱交換器に含まれる複数の熱交換ユニットどうしの相対位置がずれてしまうと、熱交換器全体の強度が低下してしまうという問題が生じる。
【０００５】
本発明の課題は、上下方向に積み重ねられた２つの熱交換ユニットどうしの位置ずれを防止することにある。
【課題を解決するための手段】
【０００６】
第１発明にかかる位置ずれ防止部材は、熱交換器に含まれる第１熱交換ユニットと第２熱交換ユニットとの位置ずれを防止する位置ずれ防止部材であって、基部と、第１側壁部と、第２側壁部と、第３側壁部と、第４側壁部とを備える。第２熱交換ユニットは、第１熱交換ユニットの上方に積み重ねられている。基部は、第１面および第２面を有する。第１面は、第１熱交換ユニットの上端面に当接する。第２面は、第１面に対向し、第２熱交換ユニットの下端面に当接する。第１側壁部は、第１熱交換ユニットの第１側面に当接し、基部から第１面側に伸びる。第２側壁部は、第１側面に対向する第１熱交換ユニットの第２側面に当接し、基部から第１面側に伸びる。第３側壁部は、第２熱交換ユニットの第３側面に当接し、基部から第２面側に伸びる。第４側壁部は、第３側面に対向する第２熱交換ユニットの第４側面に当接し、基部から第２面側に伸びる。
【０００７】
この位置ずれ防止部材は、上下方向に積み重ねられた２つの熱交換ユニット（第１熱交換ユニットおよび第２熱交換ユニット）どうしの位置ずれを防止する部材である。この位置ずれ防止部材は、基部と、当該基部から伸びる４つの側壁部とを備えている。４つの側壁部のうち、２つの側壁部（第１側壁部および第２側壁部）は、基部から下方に向けて伸びており、残りの２つの側壁部（第３側壁部および第４側壁部）は、基部から上方に向けて伸びている。そして、この位置ずれ防止部材が熱交換器に装着された状態においては、基部が下方の熱交換ユニット（第１熱交換ユニット）の上端面と上方の熱交換ユニット（第２熱交換ユニット）の下端面とに挟まれた状態であって、下方に向けて伸びる２つの側壁部が下方の熱交換ユニットの両側面に当接し、かつ、上方に向けて伸びる２つの側壁部が上方の熱交換ユニットの両側面に当接した状態になる。したがって、この位置ずれ防止部材を用いることにより、上下方向に積み重ねられた２つの熱交換ユニットどうしの位置ずれを防止することができる。
【０００８】
第２発明にかかる位置ずれ防止部材は、第１発明にかかる位置ずれ防止部材であって、基部は、第１熱交換ユニットの湾曲している部分および第２熱交換ユニットの湾曲している部分に当接するように湾曲している。
【０００９】
この位置ずれ防止部材は、湾曲した２つの熱交換ユニットを備える熱交換器に装着される。この位置ずれ防止部材の基部は、２つの熱交換ユニットの湾曲形状に合わさるように湾曲しており、２つの熱交換ユニットの湾曲部分に挟まれる。すなわち、この位置ずれ防止部材は、熱交換器の湾曲部分に装着されるため、熱交換器の直線部分に装着される場合と比較すると、２つの熱交換ユニット間をスライドしにくい。したがって、この位置ずれ防止部材が用いられる場合には、２つの熱交換ユニットどうしの位置ずれがさらに防止される。
【００１０】
第３発明にかかる位置ずれ防止部材は、第１発明または第２発明にかかる位置ずれ防止部材であって、第１側壁部、第２側壁部、第３側壁部および第４側壁部の少なくとも１つは、差込み部を有する。差込み部は、第１熱交換ユニットおよび第２熱交換ユニットに含まれる複数のフィン間に差し込まれる。
【００１１】
この位置ずれ防止部材では、４つの側壁部のうちの少なくとも１つの側壁部に差込み部が設けられている。そして、この差込み部が熱交換器の複数のフィン間に差込まれることにより、この位置ずれ防止部材全体が複数のフィンの並ぶ方向にスライドしにくくなっている。すなわち、この差込み部は、位置ずれ防止部材全体の滑り止めとなっている。したがって、この位置ずれ防止部材が用いられる場合には、２つの熱交換ユニットどうしの位置ずれがさらに防止される。
【００１２】
第４発明にかかる位置ずれ防止部材は、第１発明から第３発明のいずれかにかかる位置ずれ防止部材であって、基部には、基部上に水が滞留するのを防ぐ水抜き孔が設けられている。
【００１３】
この位置ずれ防止部材の基部には、水抜き孔が設けられている。これにより、この位置ずれ防止部材が用いられる場合には、特に上方の熱交換ユニット（第２熱交換ユニット）において発生するドレン水などの水が基部上に滞留することが防止される。
【００１４】
第５発明にかかる位置ずれ防止部材は、第１発明から第４発明のいずれかにかかる位置ずれ防止部材であって、基部は、薄板である。
【００１５】
この位置ずれ防止部材では、基部が薄板状に成形されている。これにより、基部を挟んで上下方向に積み重ねられた２つの熱交換ユニット間の隙間が極めて狭く保たれることになる。したがって、この位置ずれ防止部材が用いられる場合には、上方の熱交換ユニット（第２熱交換ユニット）が下方の熱交換ユニット（第１熱交換ユニット）上で浮く、すなわち、不安定になるといった状況が回避される。
【００１６】
第６発明にかかる空調ユニットの熱交換器は、第１熱交換ユニットと、第２熱交換ユニットと、第１熱交換ユニットと第２熱交換ユニットとの位置ずれを防止する位置ずれ防止部材とを備える。第２熱交換ユニットは、第１熱交換ユニットの上方に積み重ねられている。位置ずれ防止部材は、基部と、第１側壁部と、第２側壁部と、第３側壁部と、第４側壁部とを有する。基部は、第１面および第２面を有する。第１面は、第１熱交換ユニットの上端面に当接する。第２面は、第１面に対向し、第２熱交換ユニットの下端面に当接する。第１側壁部は、第１熱交換ユニットの第１側面に当接し、基部から第１面側に伸びる。第２側壁部は、第１側面に対向する第１熱交換ユニットの第２側面に当接し、基部から第１面側に伸びる。第３側壁部は、第２熱交換ユニットの第３側面に当接し、基部から第２面側に伸びる。第４側壁部は、第３側面に対向する第２熱交換ユニットの第４側面に当接し、基部から第２面側に伸びる。
【００１７】
この熱交換器は、２つの熱交換ユニット（第１熱交換ユニットおよび第２熱交換ユニット）を上下方向に積み重ねたものである。そして、この熱交換器には、上下方向に積み重ねられた２つの熱交換ユニットどうしの位置ずれを防止する位置ずれ防止部材が装着されている。この位置ずれ防止部材は、基部と、当該基部から伸びる４つの側壁部とを備えている。４つの側壁部のうち、２つの側壁部（第１側壁部および第２側壁部）は、基部から下方に向けて伸びており、残りの２つの側壁部（第３側壁部および第４側壁部）は、基部から上方に向けて伸びている。そして、この位置ずれ防止部材が熱交換器に装着された状態においては、基部が下方の熱交換ユニット（第１熱交換ユニット）の上端面と上方の熱交換ユニット（第２熱交換ユニット）の下端面とに挟まれた状態であって、下方に向けて伸びる２つの側壁部が下方の熱交換ユニットの両側面に当接し、かつ、上方に向けて伸びる２つの側壁部が上方の熱交換ユニットの両側面に当接した状態になる。したがって、この熱交換器では、上下方向に積み重ねられた２つの熱交換ユニットどうしの位置ずれが防止される。
【発明の効果】
【００１８】
第１発明にかかる位置ずれ防止部材を用いることにより、上下方向に積み重ねられた２つの熱交換ユニットどうしの位置ずれを防止することができる。
【００１９】
第２発明にかかる位置ずれ防止部材が用いられる場合には、２つの熱交換ユニットどうしの位置ずれがさらに防止される。
【００２０】
第３発明にかかる位置ずれ防止部材が用いられる場合には、２つの熱交換ユニットどうしの位置ずれがさらに防止される。
【００２１】
第４発明にかかる位置ずれ防止部材が用いられる場合には、特に上方の熱交換ユニットにおいて発生するドレン水などの水が基部上に滞留することが防止される。
【００２２】
第５発明にかかる位置ずれ防止部材が用いられる場合には、上方の熱交換ユニットが下方の熱交換ユニット上で浮く、すなわち、不安定になるといった状況が回避される。
【００２３】
第６発明にかかる空調ユニットの熱交換器では、上下方向に積み重ねられた２つの熱交換ユニットどうしの位置ずれが防止される。
【発明を実施するための最良の形態】
【００２４】
以下、図面を参照して、本発明の第１実施形態および第２実施形態にかかる位置ずれ防止部材５０，６０、ならびにそれらの変形例１５０，２５０，３５０について説明する。位置ずれ防止部材５０，６０，１５０，２５０，３５０は、継ぎ足し構造の熱交換器１０に含まれる熱交換ユニット１０ａ，１０ｂの位置ずれを防止するための部材である。
【００２５】
〔第１実施形態〕
まず、第１実施形態にかかる位置ずれ防止部材５０が用いられる空気調和装置の室外ユニット（空調ユニット）２について説明する。
【００２６】
＜室外ユニットの構成＞
図１および図２は、室外ユニット２の外観斜視図であり、図３は、室外ユニット２の分解斜視図である。なお、本明細書中、特に示されない限り、室外ユニット２について「正面」とは、ファングリル３４ａ，３４ｂが配置されている面を意味し、「背面」とは「正面」に対向する面を意味するものとする。また、室外ユニット２について「右」とは、室外ユニット２を正面側から見た場合の右を意味し、「左」とは、室外ユニット２を正面側から見た場合の左を意味するものとする。
【００２７】
室外ユニット２は、室外ユニット２よりも低容量の室外ユニット２０２の部品を流用して製造される、室外ユニット２０２よりも高容量の室外ユニットである。図４および図５は、室外ユニット２０２の外観斜視図である。室外ユニット２に含まれる部品のうち室外ユニット２０２から流用されている部品は、ケーシング６の一部である下方側面板２０ａ，２２ａ、下方背面グリル２３ａ、底面板２４および天面板２５、熱交換器１０の一部である下方の熱交換ユニット１０ａ、ステー２７の一部である下方ステー２７ａ、ファン４１ａ，４１ｂなどである。
【００２８】
（１）フレーム構造体
室外ユニット２の骨格となるフレーム構造体５は、主として、略直方体形状のケーシング６と、ケーシング６の内部空間内において上下に伸びる仕切部材２６と、同じくケーシング６の内部空間内において上下に伸びるステー２７とから構成されている。
【００２９】
ａ）ケーシング
ケーシング６は、主として、側面板２０，２１，２２、背面グリル２３、底面板２４および天面板２５から構成されている。
【００３０】
側面板２０は、室外ユニット２の正面の左寄りの部分および左側面を形成するＬ字形状に折り曲げられた板部材であり、送風機室Ｓ１（図６参照）を囲んでおり、底面板２４から天面板２５まで伸びている。側面板２０は、主として、室外ユニット２０２の部品でもある下方側面板２０ａと、下方側面板２０ａの上端部に連続するように室外ユニット２の組み立て時に継ぎ足された上方側面板２０ｂとから構成されている。そして、下方側面板２０ａの上端部および上方側面板２０ｂの上端部は、天面板２５の正面側の左寄りの部位および左側面側の部位と係合可能な形状を有しており、天面板２５の当該部位は、室外ユニット２０２の組み立て時には下方側面板２０ａの上端部に係合され、室外ユニット２の組み立て時には上方側面板２０ｂの上端部に係合されることになる。また、下方側面板２０ａのうち室外ユニット２の正面を形成する部位には、上下方向に並ぶ略矩形形状の開口が２箇所設けられており、これらの２箇所の開口を覆うようにして２つのファングリル３４ａ，３４ｂが取り付けられている。そして、送風機室Ｓ１内には、これらの２つのファングリル３４ａ，３４ｂに向かい合うようにして、２つのファン４１ａ，４１ｂが配置されている。ファン４１ａ，４１ｂは、プロペラファンであり、ステー２７に固定されるモータ台に支持されている。また、側面板２０のうち室外ユニット２の左側面を形成する部位には、複数の開口が設けられており、当該部位は、全体として格子状になっている。
【００３１】
側面板２１は、室外ユニット２の正面の右寄りの部分および右側面の正面寄りの部分を形成するＬ字形状に折り曲げられた板部材であり、機械室Ｓ２（図６参照）を囲んでいる。側面板２１は、継ぎ目のない一枚ものの板部材から成形されており、底面板２４から天面板２５まで伸びている。
【００３２】
側面板２２は、室外ユニット２の右側面の背面寄りの部分および背面の右側面寄りの部分を形成するＬ字形状に折り曲げられた板部材であり、機械室Ｓ２を囲んでおり、底面板２４から天面板２５まで伸びている。側面板２２は、主として、室外ユニット２０２の部品でもある下方側面板２２ａと、下方側面板２２ａの上端部に連続するように室外ユニット２の組み立て時に継ぎ足された上方側面板２２ｂとから構成されている。そして、下方側面板２２ａの上端部および上方側面板２２ｂの上端部は、天面板２５の背面側の右寄りの部位および右側面側の背面寄りの部位と係合可能な形状を有しており、天面板２５の当該部位は、室外ユニット２０２の組み立て時には下方側面板２２ａの上端部に係合され、室外ユニット２の組み立て時には上方側面板２２ｂの上端部に係合されることになる。
【００３３】
背面グリル２３は、室外ユニット２の背面の左寄りの部分を形成しており、送風機室Ｓ１を囲んでおり、底面板２４から天面板２５まで伸びている。背面グリル２３は、主として、室外ユニット２０２の部品でもある下方背面グリル２３ａと、下方背面グリル２３ａの上方に位置するように室外ユニット２の組み立て時に継ぎ足された上方背面グリル２３ｂとから構成されている。上方背面グリル２３ｂは、下方背面グリル２３ａと隙間を空けて配置される。そして、天面板２５の背面側の左寄りの部位には、孔７１が設けられており、下方背面グリル２３ａの上端部には、天面板２５の孔７１に引っ掛けることが可能な掛かり爪７２が設けられており、上方背面グリル２３ｂの上端部には、天面板２５の孔７１に引っ掛けることが可能な掛かり爪７３が設けられている。天面板２５の孔７１には、室外ユニット２０２の組み立て時においては下方背面グリル２３ａの掛かり爪７２が引っ掛けられ、室外ユニット２の組み立て時においては上方背面グリル２３ｂの掛かり爪７３が引っ掛けられることになる。下方背面グリル２３ａおよび上方背面グリル２３ｂは、ポリプロピレン樹脂製となっている。
【００３４】
そして、下方背面グリル２３ａと上方背面グリル２３ｂとの隙間には、補強板２９が配置されている。補強板２９の右端は、下方側面板２２ａおよび上方側面板２２ｂとともにビスで締結されており、補強板２９の左端は、下方側面板２０ａおよび上方側面板２０ｂとともにビスで締結されている。すなわち、補強板２９は、側面板２０から側面板２２へと架設されることにより、継ぎ足し構造のケーシング６の強度を向上させる役割を果たしている。そして、補強板２９には、下方背面グリル２３ａの掛かり爪７２が引っ掛けられる孔７４が設けられており、下方背面グリル２３ａは、補強板２９に吊り下げられることになる。
【００３５】
底面板２４は、室外ユニット２の底面を形成する板部材であり、天面板２５は、室外ユニット２の天面を形成する板部材である。
【００３６】
ｂ）仕切部材
仕切部材２６は、継ぎ目のない一枚ものの板部材から成形されており、ケーシング６の内部空間内に配置され、底面板２４から天面板２５まで伸びている。仕切部材２６は、図６に示すように、熱交換器１０の管板１２とともに、ケーシング６の内部空間を左側の送風機室Ｓ１と右側の機械室Ｓ２とに分離している。送風機室Ｓ１には、熱交換器１０およびファン４１ａ，４１ｂが配置されており、右側の機械室Ｓ２には、圧縮機４３、配管アセンブリ４および電装品ユニット４２が配置されている。配管アセンブリ４は、レシーバ４０や図示されない冷媒配管などをまとめたものであり、互いに適当な固定部材で固定されている。電装品ユニット４２は、制御基板や、圧縮機４３およびファン４１ａ，４１ｂをインバータ制御するインバータ基板などをまとめたものであり、圧縮機４３および配管アセンブリ４を避けて仕切部材２６の上部付近に支持されている。
【００３７】
ｃ）ステー
ステー２７は、送風機室Ｓ１内に配置されており、上下方向に並ぶ２つのファン４１ａ，４１ｂのモータ台を支持している。ステー２７は、底面板２４に支持されており、天面板２５付近まで伸びている。そして、ステー２７と天面板２５との間には、図示されないシール部材が両者２５，２７に当接するように配置されている。ステー２７は、主として、室外ユニット２０２の部品でもある下方ステー２７ａと、下方ステー２７ａの上端部に連続するように室外ユニット２の組み立て時に継ぎ足された上方ステー２７ｂとから構成されている。
【００３８】
（２）熱交換器
図６に示すように、熱交換器１０は、送風機室Ｓ１内に配置されており、平面視において頂点の緩やかに湾曲したＬ字形状を有しており、背面グリル２３と、側面板２０のうち室外ユニット２の左側面を形成する部位とに向かい合っている。室外ユニット２の駆動時にファン４１ａ，４１ｂが回転駆動されると、背面グリル２３のグリル穴と、側面板２０のうち室外ユニット２の左側面を形成する部位に設けられている複数の開口とを介して、送風機室Ｓ１内に空気が流入する。そして、送風機室Ｓ１内に流入した空気は、熱交換器１０を背面側から正面側へと通り抜けながら熱交換器１０の伝熱管１３ａ，１３ｂ内を流れる冷媒との間で熱交換を行い、その後、下方側面板２０ａのファングリル３４ａ，３４ｂのグリル穴を介してケーシング６外へと放出される。
【００３９】
また、図７および図８に示すように、熱交換器１０は、室外ユニット２０２の部品でもある下方の熱交換ユニット１０ａと、下方の熱交換ユニット１０ａの上端部に連続するように室外ユニット２の組み立て時に継ぎ足された上方の熱交換ユニット１０ｂとを備えている。下方の熱交換ユニット１０ａと上方の熱交換ユニット１０ｂとは、平面視において略同じ形状を有している。下方側面板２０ａ，２２ａおよび下方背面グリル２３ａは、下方の熱交換ユニット１０ａに対向しており、上方側面板２０ｂ，２２ｂおよび上方背面グリル２３ｂは、上方の熱交換ユニット１０ｂに対向している。下方の熱交換ユニット１０ａは、平面視において緩やかに湾曲した湾曲部位１１３ａを有しており、上方の熱交換ユニット１０ｂは、平面視において緩やかに湾曲した湾曲部位１１３ｂを有している。
【００４０】
下方の熱交換ユニット１０ａは、主として、横方向に伸びる６０段の伝熱管１３ａと、６０段の伝熱管１３ａが挿入され、縦方向に伸びる板状の多数の放熱フィンとから構成されている。一方、上方の熱交換ユニット１０ｂは、主として、横方向に伸びる１２段の伝熱管１３ｂと、１２段の伝熱管１３ｂが挿入され、縦方向に伸びる板状の複数の放熱フィンとから構成されている。したがって、熱交換ユニット１０ｂは、熱交換ユニット１０ａよりも上下方向に短く、熱交換ユニット１０ａ対熱交換ユニット１０ｂの上下方向の長さの比率は、概ね６０：１２となっている。
【００４１】
なお、同様に、下方側面板２０ａ対上方側面板２０ｂ、下方側面板２２ａ対上方側面板２２ｂ、下方背面グリル２３ａ対上方背面グリル２３ｂ、および下方ステー２７ａ対上方ステー２７ｂの上下方向の長さの比率も、概ね６０：１２となっており、これらの部材２０，２２，２３，２７は、上方が下方よりも短くなっている。
【００４２】
＜位置ずれ防止部材＞
位置ずれ防止部材５０は、図９に示すような形状を有しており、例えば、図７および図８に示すような態様で熱交換器１０に装着され、継ぎ足し構造の熱交換器１０に含まれる熱交換ユニット１０ａ，１０ｂどうしの位置ずれを防止する。
【００４３】
すなわち、位置ずれ防止部材５０は、主として、基部５５と、基部５５に連続する第１側壁部５１、第２側壁部５２、第３側壁部５３および第４側壁部５４の４つの側壁部とから構成されている。なお、位置ずれ防止部材５０は、樹脂製である。
【００４４】
基部５５は、厚さ約１ｍｍ程度の薄板であり、細長く、平面視において略矩形形状を有している。第１側壁部５１および第２側壁部５２は、基部５５を挟んで配置され、互いに略平行に対向しており、ともに基部５５の短手方向の縁から基部５５の第１面５５ａ側に伸びている。第３側壁部５３および第４側壁部５４は、基部５５を挟んで配置され、互いに略平行に対向しており、ともに基部５５の短手方向の縁から基部５５の第１面５５ａと反対側の第２面５５ｂ側に伸びている。そして、第１側壁部５１および第２側壁部５２は、基部５５の長手方向の右端に配置されており、第３側壁部５３および第４側壁部５４は、基部５５の長手方向の左端に配置されている。なお、位置ずれ防止部材５０について「右」「左」とは、第１側壁部５１および第３側壁部５３が第２側壁部５２および第４側壁部５４よりも手前側にあるように見える方向（図９中の矢印Ｄ１方向）から見た場合を基準としている。また、基部５５は、側壁部５１〜５４の全てに略直交している。
【００４５】
そして、第１側壁部５１、第２側壁部５２、第３側壁部５３および第４側壁部５４は、それぞれ略矩形形状の本体部に連続する略矩形形状の差込み部５１ａ，５２ａ，５３ａ，５４ａを有している。側壁部５１〜５４の本体部および差込み部５１ａ〜５４ａは、基部５５と同様に、厚さ約１ｍｍ程度の薄板である。差込み部５１ａは、第１側壁部５１の本体部の右端から第２側壁部５２に向けて当該本体部に略直交するように伸びており、差込み部５２ａは、第２側壁部５２の本体部の右端から第１側壁部５１に向けて当該本体部に略直交するように伸びており、差込み部５３ａは、第３側壁部５３の本体部の左端から第４側壁部５４に向けて当該本体部に略直交するように伸びており、差込み部５４ａは、第４側壁部５４の本体部の左端から第３側壁部５３に向けて当該本体部に略直交するように伸びている。
【００４６】
また、基部５５の短手方向の幅、すなわち、互いに略平行に対向する第１側壁部５１と第２側壁部５２との間隔、すなわち、互いに略平行に対向する第３側壁部５３と第４側壁部５４との間隔は、熱交換器１０の厚みと略同一であるが、より正確には、熱交換器１０の厚みよりも約２ｍｍ程度大きくなっている。なお、熱交換器１０の厚みとは、平面視において熱交換器１０の描くＬ字に沿う方向に直交する方向の幅をいう。
【００４７】
これにより、位置ずれ防止部材５０は、基部５５が下方の熱交換ユニット１０ａと上方の熱交換ユニット１０ｂとの間に挟まれるような態様で、平面視においてＬ字を描く熱交換器１０の直線部分に装着可能となる。なお、図７および図８においては、基部５５の第１面５５ａが下方の熱交換ユニット１０ａの上端面に当接し、基部５５の第２面５５ｂが上方の熱交換ユニット１０ｂの下端面に当接し、第１側壁部５１が下方の熱交換ユニット１０ａの第１側面１１１ａに当接し、第２側壁部５２が下方の熱交換ユニット１０ａの第２側面１１２ａに当接し、第３側壁部５３が上方の熱交換ユニット１０ｂの第３側面１１１ｂに当接し、かつ、第４側壁部５４が上方の熱交換ユニット１０ｂの第４側面１１２ｂに当接する様子が示されている。しかしながら、位置ずれ防止部材５０は対称的な構造を有しているため、位置ずれ防止部材５０を、第１側壁部５１が下方の熱交換ユニット１０ａの第２側面１１２ａ、ならびに上方の熱交換ユニット１０ｂの第３側面１１１ｂおよび第４側面１１２ｂのいずれかに当接するような態様で配置することも可能である。すなわち、例えば、位置ずれ防止部材５０を、基部５５の第１面５５ａが上方の熱交換ユニット１０ｂの下端面に当接するような態様で配置することも可能である。
【００４８】
なお、下方の熱交換ユニット１０ａの第１側面１１１ａとは、下方の熱交換ユニット１０ａの背面側の側面であり、下方の熱交換ユニット１０ａの第２側面１１２ａとは、下方の熱交換ユニット１０ａの正面側の側面であり、上方の熱交換ユニット１０ｂの第３側面１１１ｂとは、上方の熱交換ユニット１０ｂの背面側の側面であり、上方の熱交換ユニット１０ｂの第４側面１１２ｂとは、上方の熱交換ユニット１０ｂの正面側の側面である。また、これらの側面１１１ａ，１１１ｂ，１１２ａ，１１２ｂは、熱交換器１０に含まれる多数の放熱フィンの背面側の縁どうしまたは正面側の縁どうしを結ぶ面として規定される。
【００４９】
このように、位置ずれ防止部材５０が熱交換器１０に装着された状態においては、位置ずれ防止部材５０の第１側壁部５１と第２側壁部５２とが下方の熱交換ユニット１０ａを挟み込み、第３側壁部５３と第４側壁部５４とが上方の熱交換ユニット１０ｂを挟み込み、さらに、これらの４つの側壁部５１〜５４が基部５５により固定的に連結されている。これにより、下方の熱交換ユニット１０ａと上方の熱交換ユニット１０ｂとの、位置ずれ防止部材５０の基部５５の短手方向の位置ずれが防止されるようになっている。
【００５０】
また、位置ずれ防止部材５０が熱交換器１０に装着された状態においては、差込み部５１ａ〜５４ａが熱交換器１０の多数のフィン間に差し込まれることになる。これにより、位置ずれ防止部材５０は、熱交換器１０の多数のフィンの並ぶ方向（基部５５の長手方向）にスライドしにくくなっている。
【００５１】
また、基部５５には、複数の水抜き孔５６が形成されている。これにより、上方の熱交換ユニット１０ｂにおいて発生したドレン水などの水が基部５５上に滞留することなく、水抜き孔５６を通って下方へと流れてゆくようになっている。
【００５２】
＜室外ユニットの製造方法＞
次に、図１および図２に示す高容量の室外ユニット２を製造する方法について説明する。
【００５３】
なお、室外ユニット２０２に含まれる部品のうち室外ユニット２に流用される部品は、６０段の熱交換ユニット１０ａ、下方側面板２０ａ，２２ａ、下方背面グリル２３ａ、下方ステー２７ａ、底面板２４、天面板２５、ファン４１ａ，４１ｂなどである。
【００５４】
また、新たに設計される部品は、１２段の熱交換ユニット１０ｂ、上方側面板２０ｂ，２２ｂ、側面板２１、上方背面グリル２３ｂ、仕切部材２６、上方ステー２７ｂ、補強板２９、配管アセンブリ４などである。
【００５５】
まず、底面板２４上に、配管アセンブリ４、下方ステー２７ａ、仕切部材２６および６０段の熱交換ユニット１０ａを据え付ける。続いて、下方ステー２７ａにファン４１ａ，４１ｂを固定し、仕切部材２６に電装品ユニット４２を固定する。
【００５６】
そして、６０段の熱交換ユニット１０ａの上端部に、新たに用意した１２段の熱交換ユニット１０ｂを積み重ねる。なお、このとき、熱交換ユニット１０ａと熱交換ユニット１０ｂとの間に位置ずれ防止部材５０を挟み込み、両者１０ａ，１０ｂ間での位置ずれの防止を図る。
【００５７】
次に、底面板２４上に、下方側面板２０ａ，２２ａおよび側面板２１を取り付ける。
【００５８】
続いて、下方側面板２０ａの上端部に上方側面板２０ｂを取り付け、下方側面板２２ａの上端部に上方側面板２２ｂを取り付け、下方ステー２７ａの上端部に上方ステー２７ｂを取り付ける。
【００５９】
次に、下方側面板２２ａおよび上方側面板２２ｂの連結部と、下方側面板２０ａおよび上方側面板２０ｂの連結部との間に補強板２９を取り付ける。また、天面板２５を取り付ける。
【００６０】
そして、下方背面グリル２３ａを補強板２９に取り付け、上方背面グリル２３ｂを天面板２５に取り付ける。
【００６１】
以上により、室外ユニット２が製造される。
【００６２】
〔第２実施形態〕
次に、第２実施形態にかかる位置ずれ防止部材６０について説明する。なお、位置ずれ防止部材６０についても、第１実施形態の場合と同様に室外ユニット２において用いられる場合を例として説明する。ここでは、室外ユニット２の説明については、第１実施形態における説明と同様であるものとして省略する。
【００６３】
＜位置ずれ防止部材＞
位置ずれ防止部材６０は、図１１に示すような形状を有しており、例えば、図１０に示すような態様で熱交換器１０に装着され、継ぎ足し構造の熱交換器１０に含まれる熱交換ユニット１０ａ，１０ｂどうしの位置ずれを防止する。
【００６４】
すなわち、位置ずれ防止部材６０は、主として、基部６５と、基部６５に連続する第１側壁部６１、第２側壁部６２、第３側壁部６３および第４側壁部６４の４つの側壁部とから構成されている。なお、位置ずれ防止部材６０は、樹脂製である。
【００６５】
基部６５は、厚さ約１ｍｍ程度の薄板であり、細長く、平面視において緩やかに湾曲しており、熱交換ユニット１０ａ，１０ｂの湾曲部位１１３ａ，１１３ｂと平面視において略同じ形状を有している。すなわち、基部６５の長手方向に沿う、短手方向の２本の縁は、同心楕円の円弧を描いている。
【００６６】
第１側壁部６１および第３側壁部は、基部６５の短手方向の２本の縁のうち外側の縁に連続しており、第２側壁部６２および第４側壁部６４は、内側の縁に連続している。より詳細には、第１側壁部６１は、基部６５の短手方向の外側の縁から基部６５の第１面６５ａ側に伸びており、第２側壁部６２は、基部６５の短手方向の内側の縁から基部６５の第１面６５ａ側に伸びており、第３側壁部６３は、基部６５の短手方向の外側の縁から基部６５の第２面６５ｂ側に伸びており、第４側壁部６４は、基部６５の短手方向の内側の縁から基部６５の第２面６５ｂ側に伸びている。なお、基部６５の第２面６５ｂとは、基部６５の第１面６５ａの反対側の面である。そして、第２側壁部６２および第３側壁部６３は、基部６５の長手方向の右端に配置されており、第１側壁部６１および第４側壁部６４は、基部６５の長手方向の左端に配置されている。なお、位置ずれ防止部材６０について「右」「左」とは、第２側壁部６２および第４側壁部６４が第１側壁部６１および第３側壁部６３よりも手前側にあるように見える方向（図１１中の矢印Ｄ２方向）から見た場合を基準としている。また、基部６５は、側壁部６１〜６４の全てに略直交している。
【００６７】
そして、第１側壁部６１、第２側壁部６２、第３側壁部６３および第４側壁部６４は、略矩形形状の厚さ約１ｍｍ程度の薄板を、基部６５の湾曲に沿うように緩やかに湾曲させた形状を有している。
【００６８】
また、基部６５の短手方向の幅は、熱交換器１０の厚みと略同一であるが、より正確には、熱交換器１０の厚みよりも約２ｍｍ程度大きくなっている。なお、熱交換器１０の厚みとは、平面視において熱交換器１０の描くＬ字に沿う方向に直交する方向の幅をいう。
【００６９】
これにより、位置ずれ防止部材６０は、基部６５が下方の熱交換ユニット１０ａの湾曲部位１１３ａと上方の熱交換ユニット１０ｂの湾曲部位１１３ｂとの間に挟まれるような態様で熱交換器１０に装着可能となる。なお、図１０においては、基部６５の第１面６５ａが下方の熱交換ユニット１０ａの上端面に当接し、基部６５の第２面６５ｂが上方の熱交換ユニット１０ｂの下端面に当接し、第１側壁部６１が下方の熱交換ユニット１０ａの第１側面１１１ａに当接し、第２側壁部６２が下方の熱交換ユニット１０ａの第２側面１１２ａに当接し、第３側壁部６３が上方の熱交換ユニット１０ｂの第３側面１１１ｂに当接し、かつ、第４側壁部６４が上方の熱交換ユニット１０ｂの第４側面１１２ｂに当接する様子が示されている。しかしながら、位置ずれ防止部材６０は対称的な構造を有しているため、位置ずれ防止部材６０を、第１側壁部６１が上方の熱交換ユニット１０ｂの第３側面１１１ｂに当接するような態様で配置することも可能である。すなわち、位置ずれ防止部材６０を、基部６５の第１面６５ａが上方の熱交換ユニット１０ｂの下端面に当接するような態様で配置することも可能である。
【００７０】
このように、位置ずれ防止部材６０が熱交換器１０に装着された状態においては、位置ずれ防止部材６０の第１側壁部６１と第２側壁部６２とが下方の熱交換ユニット１０ａを挟み込み、第３側壁部６３と第４側壁部６４とが上方の熱交換ユニット１０ｂを挟み込み、さらに、これらの４つの側壁部６１〜６４が基部６５により固定的に連結されている。これにより、下方の熱交換ユニット１０ａと上方の熱交換ユニット１０ｂとの、位置ずれ防止部材６０の基部６５の短手方向の位置ずれが防止されるようになっている。
【００７１】
また、位置ずれ防止部材６０は、熱交換器１０の湾曲部位１１３ａ，１１３ｂ間に装着されるため、基部６５の長手方向にスライドしにくくなっている。
【００７２】
また、基部６５には、複数の水抜き孔６６が形成されている。これにより、上方の熱交換ユニット１０ｂにおいて発生したドレン水などの水が基部６５上に滞留することなく、水抜き孔６６を通って下方へと流れてゆくようになっている。
【００７３】
〔変形例〕
以上、本発明の第１実施形態および第２実施形態について説明したが、本発明は上記実施形態に限定されるものではなく、発明の要旨を逸脱しない範囲で種々の変更が可能である。
【００７４】
（１）
室内ユニットの継ぎ足し構造の熱交換器に、位置ずれ防止部材５０，６０のような位置ずれ防止部材が装着されるようになっていてもよい。
【００７５】
（２）
上記実施形態において、新たに継ぎ足す側の部品１０ｂ，２０ｂ，２２ｂ，２３ｂ，２７ｂが、継ぎ足される側の部品１０ａ，２０ａ，２２ａ，２３ａ，２７ａの下方に配置されるようになっていてもよい。また、新たに継ぎ足す側の部品１０ｂ，２０ｂ，２２ｂ，２３ｂ，２７ｂが、継ぎ足される側の部品１０ａ，２０ａ，２２ａ，２３ａ，２７ａよりも長くてもよい。
【００７６】
また、新たに継ぎ足す側の部品１０ｂ，２０ｂ，２２ｂ，２３ｂ，２７ｂと継ぎ足される側の部品１０ａ，２０ａ，２２ａ，２３ａ，２７ａとの上下方向の位置関係が、部品１０，２０，２２，２３，２７ごとに異なっていてもよい。例えば、１２段の熱交換ユニット１０ｂを６０段の熱交換ユニット１０ａの上方に積み重ね、より短い側面板２０ｂをより長い側面板２０ａの下端部に取り付けてもよい。
【００７７】
（３）
上記実施形態において、熱交換器１０が、上下方向に３つ以上の熱交換ユニットを積み重ねた継ぎ足し構造となっていてもよい。さらに、この場合において、位置ずれ防止部材５０，６０が、これらの熱交換ユニットの各継ぎ足し部分に取り付けられるようになっていてもよい。
【００７８】
また、熱交換器１０以外の継ぎ足し構造を有する部品２０，２２，２３，２７についても、３つ以上の同種のパーツから組み立てられるようになっていてもよい。
【００７９】
（４）
位置ずれ防止部材５０の側壁部５１〜５４に、差込み部５１ａ〜５４ａに追加してまたはその代替として、差込み部５１ａ〜５４ａとは別の差込み部が設けられていてもよい。例えば、第１側壁部５１の本体部の左端から第２側壁部５２に向けて当該本体部に略直交するように差込み部が伸びていてもよいし、第２側壁部５２の本体部の左端から第１側壁部５１に向けて当該本体部に略直交するように差込み部が伸びていてもよいし、第３側壁部５３の本体部の右端から第４側壁部５４に向けて当該本体部に略直交するように差込み部が伸びていてもよいし、第４側壁部５４の本体部の右端から第３側壁部５３に向けて当該本体部に略直交するように差込み部が伸びていてもよい。
【００８０】
また、位置ずれ防止部材６０の側壁部６１〜６４に、位置ずれ防止部材５０と同様の差込み部が設けられていてもよい。
【００８１】
また、差込み部は、側壁部５１〜５４，６１〜６４からだけでなく、基部５５，６５から伸びていてもよい。
【００８２】
（５）
位置ずれ防止部材５０の第１側壁部５１と第３側壁部５３とが基部５５の長手方向に一部重なり、さらに、第２側壁部５２と第４側壁部５４とが基部５５の長手方向に一部重なるようになっていてもよい。すなわち、本発明にかかる位置ずれ防止部材には、図１２（ａ）に示す態様の位置ずれ防止部材１５０が含まれる。
【００８３】
同様に、位置ずれ防止部材６０の第１側壁部６１と第３側壁部６３とが基部６５の長手方向に一部重なり、さらに、第２側壁部６２と第４側壁部６４とが基部６５の長手方向に一部重なるようになっていてもよい。
【００８４】
（６）
位置ずれ防止部材６０と同様に、位置ずれ防止部材５０の第１側壁部５１と第２側壁部５２とが対向しておらず、さらに、第３側壁部５３と第４側壁部５４とが対向していないようになってもよい。すなわち、本発明にかかる位置ずれ防止部材には、図１２（ｂ）に示す態様の位置ずれ防止部材２５０が含まれる。
【００８５】
位置ずれ防止部材２５０では、第１側壁部２５１および第２側壁部２５２が、基部２５５の短手方向の縁から基部２５５の第１面２５５ａ側に伸びており、第３側壁部２５３および第４側壁部２５４が、基部２５５の短手方向の縁から基部２５５の第１面２５５ａと反対側の第２面２５５ｂ側に伸びている。また、位置ずれ防止部材２５０では、第１側壁部２５１および第４側壁部２５４が、基部２５５の長手方向の右端に配置されており、第２側壁部２５２および第３側壁部２５３が、基部２５５の長手方向の左端に配置されている。なお、位置ずれ防止部材２５０について「右」「左」とは、第１側壁部２５１および第３側壁部２５３が第２側壁部２５２および第４側壁部２５４よりも手前側にあるように見える方向（図１２（ｂ）中の矢印Ｄ３方向）から見た場合を基準としている。
【００８６】
逆に、位置ずれ防止部材５０と同様に、位置ずれ防止部材６０の第１側壁部６１と第２側壁部６２とが対向しており、さらに、第３側壁部６３と第４側壁部６４とが対向していてもよい。すなわち、第３側壁部６３および第４側壁部６４が、基部６５の長手方向の右端に配置されており、さらに、第１側壁部６１および第２側壁部６２が、基部６５の長手方向の左端に配置されていてもよい。
【００８７】
（７）
位置ずれ防止部材５０の４つの側壁部５１〜５４が基部５５の長手方向に沿って順に並んでいてもよい。すなわち、本発明にかかる位置ずれ防止部材には、例えば、図１２（ｃ）に示す態様の位置ずれ防止部材３５０が含まれる。
【００８８】
同様に、位置ずれ防止部材６０の４つの側壁部６１〜６４が基部６５の長手方向に沿って順に並んでいてもよい。
【００８９】
（８）
位置ずれ防止部材５０，６０において、側壁部が５つ以上設けられていてもよい。
【産業上の利用可能性】
【００９０】
本発明は、上下方向に積み重ねられた２つの熱交換ユニットどうしの位置ずれを防止することができる位置ずれ防止部材およびこれを備える空調ユニットの熱交換器として有用である。
【図面の簡単な説明】
【００９１】
【図１】本発明にかかる室外ユニットを正面左側から見た斜視図。
【図２】本発明にかかる室外ユニットを背面右側から見た斜視図。
【図３】本発明にかかる室外ユニットの分解斜視図。
【図４】低容量の室外ユニットを正面左側から見た斜視図。
【図５】低容量の室外ユニットを背面右側から見た斜視図。
【図６】本発明にかかる天面板を取り外した状態の室外ユニットの平面図。
【図７】本発明にかかる背面グリルおよび補強板を取り外した状態の室外ユニットを背面右側から見た斜視図。
【図８】本発明の第１実施形態にかかる熱交換器の斜視図。
【図９】本発明の第１実施形態にかかる位置ずれ防止部材の斜視図。
【図１０】本発明の第２実施形態にかかる熱交換器の斜視図。
【図１１】本発明の第２実施形態にかかる位置ずれ防止部材の斜視図。
【図１２】（ａ）本発明の変形例にかかる位置ずれ防止部材の斜視図。（ｂ）本発明の他の変形例にかかる位置ずれ防止部材の斜視図。（ｃ）本発明の他の変形例にかかる位置ずれ防止部材の斜視図。
【符号の説明】
【００９２】
２  室外ユニット（空調ユニット）
６  ケーシング
１０  熱交換器
１０ａ  下方の熱交換ユニット（第１熱交換ユニット）
１０ｂ  上方の熱交換ユニット（第２熱交換ユニット）
５０，６０，１５０，２５０，３５０  位置ずれ防止部材
５１，６１，２５１  第１側壁部
５２，６２，２５２  第２側壁部
５３，６３，２５３  第３側壁部
５４，６４，２５４  第４側壁部
５１ａ〜５４ａ  差込み部
５５，６５，２５５  基部
５５ａ，６５ａ，２５５ａ  第１面
５５ｂ，６５ｂ，２５５ｂ  第２面
５６，６６  水抜き孔
１１１ａ  第１側面
１１１ｂ  第３側面
１１２ａ  第２側面
１１２ｂ  第４側面
１１３ａ，１１３ｂ  湾曲部位
【図１】
2008151392.tif 000003
【図２】
2008151392.tif 000004
【図３】
2008151392.tif 000005
【図４】
2008151392.tif 000006
【図５】
2008151392.tif 000007
【図６】
2008151392.tif 000008
【図７】
2008151392.tif 000009
【図８】
2008151392.tif 000010
【図９】
2008151392.tif 000011
【図１０】
2008151392.tif 000012
【図１１】
2008151392.tif 000013
【図１２】
2008151392.tif 000014